(57)【特許請求の範囲】
【請求項１】
水使用量を指示する指示部を構成するレジスターボックス内に水道水が入らないようにした乾式水道メータにおいて、
指示部に表示された水使用量を透視するための有機ガラス（１２Ａ）をＯリング（１３）を介してレジスターボックス（７）の上部に水密的に嵌合し、
有機ガラス（１２Ａ）の板厚をレジスターボックス（７）の底部の厚みよりも厚く定めるとともに、
指示部を構成するレジスターボックス（７）の内周側壁に全周に亘って嵌合する側壁（１８ａ）（１９ａ）を有する上台板（１８）と下台板（１９）と、
下台板（１９）に明けた位置決め用の穴（２１）と、パイロット（８Ａ）や指針（８Ｂ〜８Ｇ）が貫通する上台板（１８）の穴（３０）と、パイロット（８Ａ）や指針（８Ｂ〜８Ｇ）と上台板（１８）の穴（３０）との間の隙間（３１）を具備し、下台板（１９）に明けた位置決め用の穴（２１）は、パイロット（８Ａ）や指針（８Ｂ〜８Ｇ）が貫通する上台板（１８）の穴（３０）と上下方向に直接対向させないで離れた位置に設け、
上記の隙間（３１）の下側の周縁を上台板（１８）と一体成形された突部（３２）で囲んだことを特徴とする乾式水道メータ。
【請求項２】
水使用量を指示する指示部を構成するレジスターボックス内に水道水が入らないようにした乾式水道メータにおいて、
指示部に表示された水使用量を透視するための有機ガラス（１２Ａ）をＯリング（１３）を介してレジスターボックス（７）の上部に水密的に嵌合し、
有機ガラス（１２Ａ）の中央上部に凹部（１２ａ）を設けて、この凹部（１２ａ）にプラスチックケースを有する発信器（２２）を載置するとともに、発信器（２２）作動させるマグネット（２０）を有機ガラス（１２Ａ）の下面に近接して配設し、有機ガラス（１２Ａ）の凹部（１２ａ）の厚みと、発信器（２２）の底部の厚みの和と、凹部（１２ａ）を設けない部分の有機ガラス（１２Ａ）の厚みとを、レジスターボックス（７）の底部の厚みより大きく定めるとともに、
指示部を構成するレジスターボックス（７）の内周側壁に全周に亘って嵌合する側壁（１８ａ）（１９ａ）を有する上台板（１８）と下台板（１９）と、
下台板（１９）に明けた位置決め用の穴（２１）と、パイロット（８Ａ）や指針（８Ｂ〜８Ｇ）が貫通する上台板（１８）の穴（３０）と、パイロット（８Ａ）や指針（８Ｂ〜８Ｇ）と上台板（１８）の穴（３０）との間の隙間（３１）を具備し、下台板（１９）に明けた位置決め用の穴（２１）は、パイロット（８Ａ）や指針（８Ｂ〜８Ｇ）が貫通する上台板（１８）の穴（３０）と上下方向に直接対向させないで離れた位置に設け、
上記の隙間（３１）の下側の周縁を上台板（１８）と一体成形された突部（３２）で囲んだことを特徴とする乾式水道メータ。
【発明の詳細な説明】
【０００１】
【発明の属する技術分野】
本発明は水道メータの改良に関する。
【０００２】
【従来の技術】
水使用量を指示する指示部を構成するレジスターボックス内に水道水が入らないようにした乾式水道メータで、図４に示す構造のものが公知である。
【０００３】
同図において、１は下ケース、２は水道水の入口、３は出口、４は流路中に設けた回転可能の羽根車、５は羽根車４を回転可能に支承するピポットで、下ケース１に立設されている。
【０００４】
６は羽根車４の上端部に取付けたリング状のマグネットで、後述するレジスターボックス内の歯輪列を磁力で駆動回転させる。
７は有底円筒形のレジスターボックスで、コスト・納期等の生産性の観点からプラスチック成形品で構成されている。
【０００５】
レジスターボックス７内には、直読式の表示車８や、この表示車を駆動する歯輪列９、歯輪列９を構成する駆動歯車１０、駆動歯車１０に取付けたマグネット１１等が収納され、上部には無機ガラス１２がＯリング１３を介して蓋として取付けられている。
【０００６】
１４は上ケースで、レジスターボックス７〜無機ガラス１２からなる指示部をＯリング１５を介して下ケース１に水密的に取付け固定している。
１６はプラスチック製の蓋で、上ケース１４に開閉可能に取付けられている。１７はレジスターボックス７の下面に取付けた調整器である。
【０００７】
水道水は入口２から下ケース１内に入って羽根車４を回転させて出口３より流出する。羽根車４の回転はマグネット６と１１の磁力で駆動歯車１０に伝達されて表示車８を回転させて水使用量を指示する。
【０００８】
【発明が解決しようとする課題】
上記従来の技術では、羽根車４の回りの流路には水道水が充満しているため、この流路の水蒸気圧Ｐ1 の影響を受けて、水蒸気がプラスチック製のレジスターボックス７の底面を透過してレジスターボックス内の水蒸気圧Ｐ2 が飽和水蒸気圧まで上昇する。
【０００９】
そして、特に冬期には無機ガラス１２の上面の温度ｔ2 が下ケース内の水道水よりも温度が低くなり、指示部の内部温度、即ちレジスターボックス７の内部の温度ｔ1 より低くなる。
【００１０】
そのため、レジスターボックス内の水蒸気、特に無機ガラス１２の下面に接している部分の水蒸気が冷却されてガラス内面（下面）に結露する。レジスターボックス内では水蒸気が上方に上昇する対流が生じて、前記結露現象が更に進行し、ガラス１２が曇って水使用量の判読に支障を来たすという問題点があった。
【００１１】
特に乾式水道メータでは、湿式水道メータに比較して無機ガラス１２の厚みが小さいため、冬期における前記結露が発生し易い。因みに湿式水道メータでは無機ガラス１２の厚みが２０mmであるが、乾式水道メータでは水圧がかからないため１０mmの厚みの無機ガラスが用いられていることからも冬期における曇りが生じ易い。
【００１２】
そこで、本発明は、結露によるこのような曇りを生じにくくして、水使用量の読み取りに支障のない乾式水道メータを提供することを目的とする。
【００１３】
【課題を解決するための手段】
前記目的を達成するために、請求項１の発明は、水使用量を指示する指示部を構成するレジスターボックス内に水道水が入らないようにした乾式水道メータにおいて、
指示部に表示された水使用量を透視するための有機ガラス（１２Ａ）をＯリング（１３）を介してレジスターボックス（７）の上部に水密的に嵌合し、
有機ガラス（１２Ａ）の板厚をレジスターボックス（７）の底部の厚みよりも厚く定めるとともに、
指示部を構成するレジスターボックス（７）の内周側壁に全周に亘って嵌合する側壁（１８ａ）（１９ａ）を有する上台板（１８）と下台板（１９）と、
下台板（１９）に明けた位置決め用の穴（２１）と、パイロット（８Ａ）や指針（８Ｂ〜８Ｇ）が貫通する上台板（１８）の穴（３０）と、パイロット（８Ａ）や指針（８Ｂ〜８Ｇ）と上台板（１８）の穴（３０）との間の隙間（３１）を具備し、下台板（１９）に明けた位置決め用の穴（２１）は、パイロット（８Ａ）や指針（８Ｂ〜８Ｇ）が貫通する上台板（１８）の穴（３０）と上下方向に直接対向させないで離れた位置に設け、
上記の隙間（３１）の下側の周縁を上台板（１８）と一体成形された突部（３２）で囲んだことを特徴とする乾式水道メータである。
【００１４】
請求項２の発明は、水使用量を指示する指示部を構成するレジスターボックス内に水道水が入らないようにした乾式水道メータにおいて、
指示部に表示された水使用量を透視するための有機ガラス（１２Ａ）をＯリング（１３）を介してレジスターボックス（７）の上部に水密的に嵌合し、
有機ガラス（１２Ａ）の中央上部に凹部（１２ａ）を設けて、この凹部（１２ａ）にプラスチックケースを有する発信器（２２）を載置するとともに、発信器（２２）作動させるマグネット（２０）を有機ガラス（１２Ａ）の下面に近接して配設し、有機ガラス（１２Ａ）の凹部（１２ａ）の厚みと、発信器（２２）の底部の厚みの和と、凹部（１２ａ）を設けない部分の有機ガラス（１２Ａ）の厚みとを、レジスターボックス（７）の底部の厚みより大きく定めるとともに、
指示部を構成するレジスターボックス（７）の内周側壁に全周に亘って嵌合する側壁（１８ａ）（１９ａ）を有する上台板（１８）と下台板（１９）と、
下台板（１９）に明けた位置決め用の穴（２１）と、パイロット（８Ａ）や指針（８Ｂ〜８Ｇ）が貫通する上台板（１８）の穴（３０）と、パイロット（８Ａ）や指針（８Ｂ〜８Ｇ）と上台板（１８）の穴（３０）との間の隙間（３１）を具備し、下台板（１９）に明けた位置決め用の穴（２１）は、パイロット（８Ａ）や指針（８Ｂ〜８Ｇ）が貫通する上台板（１８）の穴（３０）と上下方向に直接対向させないで離れた位置に設け、
上記の隙間（３１）の下側の周縁を上台板（１８）と一体成形された突部（３２）で囲んだことを特徴とする乾式水道メータである。
【００１８】
【発明の実施の形態】
図１〜図３は本発明の実施例で、１は水道水の入口２と出口３を備えた下部ケースで、その底部に立設したピポット５に、羽根車４が回転可能に支承されている。
【００１９】
６は羽根車４の上端部に取付けたリング状のマグネットである。
７はプラスチック成形した有底円筒形のレジスターボックス、８Ａは水を使用しているときに回転する周知のパイロット、８Ｂ〜８Ｇはそれぞれリットル〜１００立方メートルを表示する指針で、歯輪列９に連動して回転する。
【００２０】
１０は歯輪列９を構成する最初の駆動歯車、１１は駆動歯車１０に取付けたリング状のマグネットで、前記マグネット６と磁力で結合してマグネットカップリングを構成し、羽根車４の回転を歯輪列９に伝える。
【００２１】
１２Ａはアクリル樹脂等で成形した有機ガラスで、Ｏリング１３を介してレジスターボックス７の上部に水密的に嵌合している。
１８は上台板、１９は下台板で、前記歯輪列９の殆どは下台板１９から上方に突出するピポットにより回転可能に支承されている。歯輪列９を構成する一つの歯車９ａのピニオンは上台板１２を貫通して上方に突出し、中間歯車９ｂを介して従動歯車９ｃを駆動する。
【００２２】
従動歯車９ｃはその上端部にリング状の金属マグネット２０が取付けてある。
上台板１８と下台板１９は、それぞれレジスターボックス７の内周側壁に全周に亘って嵌合する側壁１８ａ，１９ａを具備しており、これらの側壁１８ａ，１９ａはレジスターボックス７の底から透過した水蒸気が下台板１９や上台板１８の外周とレジスターボックス７の内周側壁との隙間を通って有機ガラス１２Ａの下面に達するのを抑制する。
【００２３】
２１は下台板１９に明けた位置決め用の穴で、この穴は、パイロット８Ａや指針８Ｂ〜８Ｇが貫通する上台板１８の穴３０とは直接上下方向に対向しないで、平面図でみて互いに離れた位置に配設されている。こうすることで、穴（隙間）２１を通って下台板１９の下方から上方に通過した水蒸気は、パイロット８Ａや指針８Ｂ〜８Ｇと上台板１８の穴との間の隙間３１を通って更に上台板１８の上方へ通過するのが抑制される。
【００２４】
また、図２（ｃ）で拡大図示するように、上記の隙間３１の下側の周縁は、上台板１８と一体成形された突部３２で囲まれており、該突部３２の存在によって、上台板１８の裏面に溜った湿気が隙間３１内へ流入するのを抑制している。
【００２５】
従って、下ケース１内の水道水の蒸気圧によって、水蒸気がレジスターボックス７の底面を透過して指示部内に進入したとしても、上台板１８と有機ガラス１２Ａの間の空間へ更に進入するのが効果的に抑制される。
【００２６】
１４は上ケースで、レジスターボックス７〜有機ガラス１２Ａ等からなる指示部をＯリング１５を介して下ケース１に水密的に取付け固定している。なお、上ケース１４は同時に有機ガラス１２Ａを介して指示部を下ケース１に収納固定する。上ケースの固定は下ケース１に上ケース１４を螺着することで行なう。
【００２７】
１７はレジスターボックス７の下面に取付けた周知の調整器である。
レジスターボックス７の底部には、リブ状の複数の突出部７ａが上方に突出形成されていて、指示部を下ケース内に収納固定するときに下台板１９が突出部７ａの上端に当接して位置決めされ、下台板１９の側壁１９ａの上端に上台板１８の下面が当接して位置決めされる。
【００２８】
２２は前記マグネット２０の回転を検出して電気信号に変換する磁気センサを内蔵した発信器で有底筒形にケースが形成され、その基部（下端部）が有機ガラス１２Ａの中央の凹部１２ａに嵌入載置され、内蔵された磁気センサが、有機ガラス１２Ａの中央の薄い部分を介してマグネット２０の回転磁場を検出する。
【００２９】
２３は発信器２２を上ケース１４に取付ける固定部材で、スクリュ２４とワッシャ２５により上ケース１４に固定される。２６は発信器２２がいたずらで取外されるのを防止するための封印玉である。
【００３０】
２７は発信器２２の電気信号を遠隔地へ伝送する電線である。
上記実施例では、有機ガラス１２Ａの凹部１２ａにおける厚みは他の部分より薄いため、伝熱し易いが、発信器２２のケースを熱伝導の悪いプラスチック材料で成形し、発信器２２の底部の厚みと有機ガラス１２Ａの中央凹部１２ａの部分の厚みとの和をレジスターボックス７の底部の厚みより大きくすることで、冬期における有機ガラス１２Ａの下面の温度低下を抑制し、結露の発生を抑制する。
【００３１】
また、金属製のマグネット２０は、有機ガラス１２Ａの下面に近接配置されているので、冬期に有機ガラス１２Ａの下面の温度が低下すると、マグネット２０の温度も低下し、指示部即ちレジスターボックス７内の水蒸気が上昇して有機ガラス１２Ａの下面に結露するよりも先にマグネット２０の表面に触れて結露する。
【００３２】
こうすることで、有機ガラス１２Ａの曇りを積極的に防止する。
なお、有機ガラス１２Ａの中央凹部１２ａの厚みと、発信器２２の底面の厚みの和を大きくして、有機ガラス１２Ａの下面の冬期における温度の低下を防止するようにしたときは、マグネット２０は熱伝導の良い金属製である必要はなく、フェライトマグネットを用いてもよい。
【００３３】
上記実施例では発信器２２を取付けるために、有機ガラス１２Ａの中央に凹部１２ａを形成したが、発振器を取付けないときは凹部１２ａを形成しないで、有機ガラスの中央部も、レジスターボックス７の底部より大きな厚みにすることで、結露を防止できる。
【００３４】
また、有機ガラスの中央下面に金属の円板を取付けてこの円板に積極的に結露させることで有機ガラスの曇りを防止することもできる。
【００３５】
【発明の効果】
本発明は上述のように構成されているので、冬期における有機ガラス（１２Ａ）の曇りを防止でき、水使用量の視認性を改善できる。
【図面の簡単な説明】
【図１】本発明の実施例の縦断面図である。
【図２】図１の実施例の歯輪列の構造を説明する図で、（ａ）は歯輪列全体の展開図、（ｂ）はその一部分の展開図、（ｃ）は隙間部に設けた突部を示す一部拡大断面図である。
【図３】図１の実施例の平面図である。
【図４】従来技術の縦断面図である。
【符号の説明】
７              レジスターボックス
８Ａ パイロット
８Ｂ〜８Ｇ 指針
１２Ａ          有機ガラス
１２ａ          凹部
１３ Ｏリング
１８            上台板
１９            下台板
１８ａ，１９ａ  側壁
２０            マグネット
２１ 穴
２２            発信器
３０ 穴
３１            隙間
３２            突部
【図１】
0003643415.tif 000002
【図２】
0003643415.tif 000003
【図３】
0003643415.tif 000004
【図４】
0003643415.tif 000005